【手続補正書】
【提出日】平成26年6月17日(2014.6.17)
【手続補正１】
【補正対象書類名】特許請求の範囲
【補正対象項目名】全文
【補正方法】変更
【補正の内容】
【特許請求の範囲】
【請求項１】
ユーザの第１の認証キー及び前記ユーザの管理マスタＩＤを記憶しているが、前記ユーザの第２の認証キーを記憶していない第１段階認証手段と、前記第２の認証キー及び前記管理マスタＩＤを記憶しているが、前記第１の認証キーを記憶していない第２段階認証手段とで行われる個人認証方法であって、
（ａ）前記第１段階認証手段が、前記ユーザが使用する情報処理装置であるユーザ装置から第１の認証キーの入力を受け、前記入力された第１の認証キーと、前記記憶されている第１の認証キーとを照合することで、第１段階の個人認証を行なうステップと、
（ｂ）前記第１段階の個人認証が成功した場合、前記第１段階認証手段が、第１及び第２ワンタイムキーを発行するステップと、
（ｂ´）前記第１段階認証手段が、前記ユーザ装置に対して、前記第１及び第２ワンタイムキーを送信するステップと、
（ｃ）前記第１段階認証手段が、前記第２段階認証手段に対して、前記第１段階の個人認証が成功したユーザの管理マスタＩＤと、前記第１及び第２ワンタイムキーを通知するステップと、
（ｄ）前記第２段階認証手段が、前記第１段階認証手段から通知された前記第１及び第２ワンタイムキーを、通知された前記管理マスタＩＤに該当する前記ユーザのワンタイムキーとして記憶するステップと、
（ｅ）前記第２段階認証手段が、前記ユーザ装置から、前記（ｂ´）で送信された第１ワンタイムキーの入力を受け、前記第１ワンタイムキーが、前記ユーザの管理マスタＩＤに対応し前記（ｄ）で記憶された前記第１ワンタイムキーに一致するかどうかを判断するステップと、
（ｆ）前記（ｅ）での判断の結果が肯定的の場合、前記第２段階認証手段は、前記ユーザ装置に対して、記憶されている前記第２ワンタイムキーを送信するステップと、
（ｇ）前記ユーザ又は前記ユーザ装置が、前記（ｆ）で送信された第２ワンタイムキーが前記（ｂ）で発行された第２ワンタイムキーに一致するかどうかを判断するステップと、
（ｈ）前記（ｇ）での判断の結果が肯定的の場合、前記ユーザ装置は、前記第２段階認証手段に対して前記ユーザの第２の認証キーを入力するステップと、
（ｉ）前記第２段階認証手段は、前記ユーザ装置から第２の認証キーの入力を受け、前記入力された第２の認証キーと、前記記憶されている第２の認証キーとを照合することで、第２段階の個人認証を行なうステップと
を有する個人認証方法。
【請求項２】
ユーザの第１の認証キー及び前記ユーザの管理マスタＩＤを記憶しているが、前記ユーザの第２の認証キーを記憶していない第１段階認証手段と、前記第２の認証キー及び前記管理マスタＩＤを記憶しているが、前記第１の認証キーを記憶していない第２段階認証手段とで行われる個人認証方法であって、
（ａ）前記第１段階認証手段が、前記ユーザが使用する情報処理装置であるユーザ装置から第１の認証キーの入力を受け、前記入力された第１の認証キーと、前記記憶されている第１の認証キーとを照合することで、第１段階の個人認証を行なうステップと、
（ａ’）前記第１段階認証手段が、前記第１の認証キーの入力を受けるタイミング又はそれとは異なるタイミングで、前記ユーザ装置から第２ワンタイムキーを受けるステップと、
（ｂ）前記第１段階の個人認証が成功した場合、前記第１段階認証手段が、第１ワンタイムキーを発行するステップと、
（ｂ´）前記第１段階認証手段が、前記ユーザ装置に対して、前記第１ワンタイムキーを送信するステップと、
（ｃ）前記第１段階認証手段が、前記第２段階認証手段に対して、前記第１段階の個人認証が成功したユーザの管理マスタＩＤと、前記第１及び第２ワンタイムキーを通知するステップと、
（ｄ）前記第２段階認証手段が、前記第１段階認証手段から通知された前記第１及び第２ワンタイムキーを、通知された前記管理マスタＩＤに該当する前記ユーザのワンタイムキーとして記憶するステップと、
（ｅ）前記第２段階認証手段が、前記ユーザ装置から、前記（ｂ´）で送信された第１ワンタイムキーの入力を受け、前記第１ワンタイムキーが、前記ユーザの管理マスタＩＤに対応し前記（ｄ）で記憶された前記第１ワンタイムキーに一致するかどうかを判断するステップと、
（ｆ）前記（ｅ）での判断の結果が肯定的の場合、前記第２段階認証手段は、前記ユーザ装置に対して、記憶されている前記第２ワンタイムキーを送信するステップと、
（ｇ）前記ユーザ又は前記ユーザ装置が、前記（ｆ）で送信された第２ワンタイムキーが前記（ａ´）で入力した第２ワンタイムキーに一致するかどうかを判断するステップと、
（ｈ）前記（ｇ）での判断の結果が肯定的の場合、前記ユーザ装置は、前記第２段階認証手段に対して前記ユーザの第２の認証キーを入力するステップと、
（ｉ）前記第２段階認証手段は、前記ユーザ装置から第２の認証キーの入力を受け、前記入力された第２の認証キーと、前記記憶されている第２の認証キーとを照合することで、第２段階の個人認証を行なうステップと
を有する個人認証方法。
【請求項３】
ユーザの第１の認証キー及び前記ユーザの管理マスタＩＤを記憶しているが、前記ユーザの第２の認証キーを記憶していない第１段階認証手段と、前記第２の認証キー及び前記管理マスタＩＤを記憶しているが、前記第１の認証キーを記憶していない第２段階認証手段とで行われる個人認証方法であって、
（ａ）前記第１段階認証手段が、前記ユーザが使用する情報処理装置であるユーザ装置から第１の認証キーの入力を受け、前記入力された第１の認証キーと、前記記憶されている第１の認証キーとを照合することで、第１段階の個人認証を行なうステップと、
（ａ´）前記第２段階認証手段が、前記ユーザの管理マスタＩＤに対応付ける第２ワンタイムキーを発行し、その第２ワンタイムキーを前記第１段階認証手段に送信するステップと、
（ｂ）前記第１段階の個人認証が成功した場合、前記第１段階認証手段が、第１ワンタイムキーを発行するステップと、
（ｂ´）前記第１段階認証手段が、前記ユーザ装置に対して、前記第１及び第２ワンタイムキーを送信するステップと、
（ｃ）前記第１段階認証手段が、前記第２段階認証手段に対して、前記第１段階の個人認証が成功したユーザの管理マスタＩＤと、前記第１ワンタイムキーを通知するステップと、
（ｄ）前記第２段階認証手段が、前記第１段階認証手段から通知された前記第１ワンタイムキーを、通知された前記管理マスタＩＤに該当する前記ユーザのワンタイムキーとして記憶するステップと、
（ｅ）前記第２段階認証手段が、前記ユーザ装置から、前記（ｂ´）で送信された第１ワンタイムキーの入力を受け、前記第１ワンタイムキーが、前記ユーザの管理マスタＩＤに対応し前記（ｄ）で記憶された前記第１ワンタイムキーに一致するかどうかを判断するステップと、
（ｆ）前記（ｅ）での判断の結果が肯定的の場合、前記第２段階認証手段は、前記ユーザ装置に対して、記憶されている前記第２ワンタイムキーを送信するステップと、
（ｇ）前記ユーザ又は前記ユーザ装置が、前記（ｆ）で送信された第２ワンタイムキーが前記（ｂ´）で送信された第２ワンタイムキーに一致するかどうかを判断するステップと、
（ｈ）前記（ｇ）での判断の結果が肯定的の場合、前記ユーザ装置は、前記第２段階認証手段に対して前記ユーザの第２の認証キーを入力するステップと、
（ｉ）前記第２段階認証手段は、前記ユーザ装置から第２の認証キーの入力を受け、前記入力された第２の認証キーと、前記記憶されている第２の認証キーとを照合することで、第２段階の個人認証を行なうステップと
を有する個人認証方法。
【請求項４】
請求項１又は３のうちのいずれか１項に記載の個人認証方法であって、
前記第１及び第２ワンタイムキーは、１つのワンタイムキーであるワンタイムユニットを分割することにより得られたワンタイムキーである、
個人認証方法。
【請求項５】
請求項４記載の個人認証方法であって、
前記ワンタイムユニットは、ユーザ任意の位置で分割される、
個人認証方法。
【請求項６】
請求項４又は５記載の個人認証方法であって、
前記第１及び／又は第２ワンタイムキーのうちの少なくとも一方が、前記ワンタイムユニットにおいて離散している複数のデータ要素で構成されたワンタイムキーである、
個人認証方法。
【請求項７】
請求項１乃至７のうちのいずれか１項に記載の個人認証方法であって、
前記第１ワンタイムキーは、個人認証用のワンタイムキーであり、
前記第２ワンタイムキーは、フィッシング回避用のワンタイムキーである、
個人認証方法。
【請求項８】
請求項１乃至８のうちのいずれか１項に記載の個人認証方法であって、
前記第１段階認証手段が、ユーザの第１の認証キー及び前記ユーザの管理マスタＩＤの他に、前記ユーザ装置に固有のユーザ装置ＩＤを記憶しており、前記ユーザ装置ＩＤを前記第２段階認証手段に送信し、
前記（ｅ）又はそれとは異なるタイミングで、前記第２段階認証手段が、前記ユーザ装置から、前記ユーザ装置のユーザ装置ＩＤを受信し、
前記第２段階認証手段が、そのユーザ装置ＩＤが、前記記憶しているユーザ装置ＩＤに一致しているか否かを判断し、
その判断の結果が肯定的であり、且つ、前記第１ワンタイムキーについて一致が得られた場合に、前記（ｆ）が行われる、
個人認証方法。
【請求項９】
請求項１乃至９のうちのいずれか１項に記載の個人認証方法であって、
前記（ｃ）の通知は、前記第２段階認証手段から前記第１段階認証手段に対する問合せに応答して行われる、
個人認証方法。
【請求項１０】
請求項１乃至１０のうちのいずれか１項に記載の個人認証方法であって、
前記（ｈ）が、前記（ｅ）の際、前記（ｅ）より先、或いは、前記（ｅ）よりも後であって前記（ｆ）よりも先に行われ、
前記（ｈ）は、前記（ｇ）での判断の結果が肯定的の場合という条件無く開始される、個人認証方法。
【請求項１１】
ユーザの第１の認証キー及び前記ユーザの管理マスタＩＤを記憶しているが、前記ユーザの第２の認証キーを記憶していない第１段階認証手段と、
前記第２の認証キー及び前記管理マスタＩＤを記憶しているが、前記第１の認証キーを記憶していない第２段階認証手段と
を備え、
（ａ）前記第１段階認証手段が、前記ユーザが使用する情報処理装置であるユーザ装置から第１の認証キーの入力を受け、前記入力された第１の認証キーと、前記記憶されている第１の認証キーとを照合することで、第１段階の個人認証を行ない、
（ｂ）前記第１段階の個人認証が成功した場合、前記第１段階認証手段が、第１及び第２ワンタイムキーを発行し、
（ｂ´）前記第１段階認証手段が、前記ユーザ装置に対して、前記第１及び第２ワンタイムキーを送信し、
（ｃ）前記第１段階認証手段が、前記第２段階認証手段に対して、前記第１段階の個人認証が成功したユーザの管理マスタＩＤと、前記第１及び第２ワンタイムキーを通知し、
（ｄ）前記第２段階認証手段が、前記第１段階認証手段から通知された前記第１及び第２ワンタイムキーを、通知された前記管理マスタＩＤに該当する前記ユーザのワンタイムキーとして記憶し、
（ｅ）前記第２段階認証手段が、前記ユーザ装置から、前記（ｂ´）で送信された第１ワンタイムキーの入力を受け、前記第１ワンタイムキーが、前記ユーザの管理マスタＩＤに対応し前記（ｄ）で記憶された前記第１ワンタイムキーに一致するかどうかを判断し、
（ｆ）前記（ｅ）での判断の結果が肯定的の場合、前記第２段階認証手段は、前記ユーザ装置に対して、記憶されている前記第２ワンタイムキーを送信し、
（ｇ）前記ユーザ又は前記ユーザ装置が、前記（ｆ）で送信された第２ワンタイムキーが前記（ｂ）で発行された第２ワンタイムキーに一致するかどうかを判断し、
（ｈ）前記（ｇ）での判断の結果が肯定的の場合、前記ユーザ装置は、前記第２段階認証手段に対して前記ユーザの第２の認証キーを入力し、
（ｉ）前記第２段階認証手段は、前記ユーザ装置から第２の認証キーの入力を受け、前記入力された第２の認証キーと、前記記憶されている第２の認証キーとを照合することで、第２段階の個人認証を行なう
個人認証システム。
【請求項１２】
ユーザの第１の認証キー及び前記ユーザの管理マスタＩＤを記憶しているが、前記ユーザの第２の認証キーを記憶していない第１段階認証手段と、
前記第２の認証キー及び前記管理マスタＩＤを記憶しているが、前記第１の認証キーを記憶していない第２段階認証手段と
を備え、
（ａ）前記第１段階認証手段が、前記ユーザが使用する情報処理装置であるユーザ装置から第１の認証キーの入力を受け、前記入力された第１の認証キーと、前記記憶されている第１の認証キーとを照合することで、第１段階の個人認証を行ない、
（ａ’）前記第１段階認証手段が、前記第１の認証キーの入力を受けるタイミング又はそれとは異なるタイミングで、前記ユーザ装置から第２ワンタイムキーを受け、
（ｂ）前記第１段階の個人認証が成功した場合、前記第１段階認証手段が、第１ワンタイムキーを発行し、
（ｂ´）前記第１段階認証手段が、前記ユーザ装置に対して、前記第１ワンタイムキーを送信し、
（ｃ）前記第１段階認証手段が、前記第２段階認証手段に対して、前記第１段階の個人認証が成功したユーザの管理マスタＩＤと、前記第１及び第２ワンタイムキーを通知し、
（ｄ）前記第２段階認証手段が、前記第１段階認証手段から通知された前記第１及び第２ワンタイムキーを、通知された前記管理マスタＩＤに該当する前記ユーザのワンタイムキーとして記憶し、
（ｅ）前記第２段階認証手段が、前記ユーザ装置から、前記（ｂ´）で送信された第１ワンタイムキーの入力を受け、前記第１ワンタイムキーが、前記ユーザの管理マスタＩＤに対応し前記（ｄ）で記憶された前記第１ワンタイムキーに一致するかどうかを判断し、
（ｆ）前記（ｅ）での判断の結果が肯定的の場合、前記第２段階認証手段は、前記ユーザ装置に対して、記憶されている前記第２ワンタイムキーを送信し、
（ｇ）前記ユーザ又は前記ユーザ装置が、前記（ｆ）で送信された第２ワンタイムキーが前記（ａ´）で入力した第２ワンタイムキーに一致するかどうかを判断し、
（ｈ）前記（ｇ）での判断の結果が肯定的の場合、前記ユーザ装置は、前記第２段階認証手段に対して前記ユーザの第２の認証キーを入力し、
（ｉ）前記第２段階認証手段は、前記ユーザ装置から第２の認証キーの入力を受け、前記入力された第２の認証キーと、前記記憶されている第２の認証キーとを照合することで、第２段階の個人認証を行なう、
個人認証システム。
【請求項１３】
ユーザの第１の認証キー及び前記ユーザの管理マスタＩＤを記憶しているが、前記ユーザの第２の認証キーを記憶していない第１段階認証手段と、
前記第２の認証キー及び前記管理マスタＩＤを記憶しているが、前記第１の認証キーを記憶していない第２段階認証手段と
を備え、
（ａ）前記第１段階認証手段が、前記ユーザが使用する情報処理装置であるユーザ装置から第１の認証キーの入力を受け、前記入力された第１の認証キーと、前記記憶されている第１の認証キーとを照合することで、第１段階の個人認証を行ない、
（ａ´）前記第２段階認証手段が、前記ユーザの管理マスタＩＤに対応付ける第２ワンタイムキーを発行し、その第２ワンタイムキーを前記第１段階認証手段に送信し、
（ｂ）前記第１段階の個人認証が成功した場合、前記第１段階認証手段が、第１ワンタイムキーを発行し、
（ｂ´）前記第１段階認証手段が、前記ユーザ装置に対して、前記第１及び第２ワンタイムキーを送信し、
（ｃ）前記第１段階認証手段が、前記第２段階認証手段に対して、前記第１段階の個人認証が成功したユーザの管理マスタＩＤと、前記第１ワンタイムキーを通知し、
（ｄ）前記第２段階認証手段が、前記第１段階認証手段から通知された前記第１ワンタイムキーを、通知された前記管理マスタＩＤに該当する前記ユーザのワンタイムキーとして記憶し、
（ｅ）前記第２段階認証手段が、前記ユーザ装置から、前記（ｂ´）で送信された第１ワンタイムキーの入力を受け、前記第１ワンタイムキーが、前記ユーザの管理マスタＩＤに対応し前記（ｄ）で記憶された前記第１ワンタイムキーに一致するかどうかを判断し、
（ｆ）前記（ｅ）での判断の結果が肯定的の場合、前記第２段階認証手段は、前記ユーザ装置に対して、記憶されている前記第２ワンタイムキーを送信し、
（ｇ）前記ユーザ又は前記ユーザ装置が、前記（ｆ）で送信された第２ワンタイムキーが前記（ｂ´）で送信された第２ワンタイムキーに一致するかどうかを判断し、
（ｈ）前記（ｇ）での判断の結果が肯定的の場合、前記ユーザ装置は、前記第２段階認証手段に対して前記ユーザの第２の認証キーを入力し、
（ｉ）前記第２段階認証手段は、前記ユーザ装置から第２の認証キーの入力を受け、前記入力された第２の認証キーと、前記記憶されている第２の認証キーとを照合することで、第２段階の個人認証を行なう、
個人認証システム。
【請求項１４】
請求項１２乃至１４のうちのいずれか１項に記載の個人認証システムであって、
前記（ｈ）が、前記（ｅ）の際、前記（ｅ）より先、或いは、前記（ｅ）よりも後であって前記（ｆ）よりも先に行われ、
前記（ｈ）は、前記（ｇ）での判断の結果が肯定的の場合という条件無く開始される、
個人認証システム。
【請求項１５】
請求項１２乃至１５のうちのいずれか１項に記載の個人認証システムであって、
前記第１段階認証手段と前記第２段階認証手段が、異なるコンピュータマシン又は同一のコンピュータマシンにより実現される、
個人認証システム。
【請求項１６】
請求項１２乃至１６のうちのいずれか１項に記載の個人認証システムの前記第１段階認証手段としてコンピュータを機能させるコンピュータプログラム。
【請求項１７】
請求項１２乃至１６のうちのいずれか１項に記載の個人認証システムの前記第２段階認証手段としてコンピュータを機能させるコンピュータプログラム。
【請求項１８】
ユーザの第１の認証キー及び前記ユーザの管理マスタＩＤを記憶しているが前記ユーザの第２の認証キーを記憶していない第１段階認証手段により行われる個人認証支援方法であって、
前記第１段階認証手段が、前記ユーザが使用する情報処理装置であるユーザ装置から第１の認証キーの入力を受け、前記入力された第１の認証キーと、前記記憶されている第１の認証キーとを照合することで、第１段階の個人認証を行なうステップと、
前記第１段階の個人認証が成功した場合、前記第１段階認証手段が、第１及び第２ワンタイムキーを発行するステップと、
前記第１段階認証手段が、前記ユーザ装置に対して、前記第１及び第２ワンタイムキーを送信するステップと、
前記第１段階認証手段が、前記第２の認証キー及び前記管理マスタＩＤを記憶しているが前記第１の認証キーを記憶していない第２段階認証手段に対して、前記第１段階の個人認証が成功したユーザの管理マスタＩＤと、前記第１及び第２ワンタイムキーを通知するステップと
を有し、
前記第２段階認証手段が、前記第１段階認証手段から通知された前記第１及び第２ワンタイムキーを、通知された前記管理マスタＩＤに該当する前記ユーザのワンタイムキーとして記憶でき、
前記第２段階認証手段が、前記ユーザ装置から、前記送信された第１ワンタイムキーの入力を受けて、前記第１ワンタイムキーが、前記ユーザの管理マスタＩＤに対応し前記記憶された前記第１ワンタイムキーに一致するかどうかを判断でき、
その判断の結果が肯定的の場合、前記第２段階認証手段が、前記ユーザ装置に対して、記憶されている前記第２ワンタイムキーを送信でき、
前記ユーザ又は前記ユーザ装置が、前記送信された第２ワンタイムキーが前記発行された第２ワンタイムキーに一致するかどうかを判断でき、その判断の結果が肯定的の場合、前記ユーザ装置は、前記第２段階認証手段に対して前記ユーザの第２の認証キーを入力でき、
前記第２段階認証手段が、前記ユーザ装置から第２の認証キーの入力を受け、前記入力された第２の認証キーと、前記記憶されている第２の認証キーとを照合することで、第２段階の個人認証を行なうことができる、
個人認証支援方法。
【請求項１９】
ユーザの第１の認証キー及び前記ユーザの管理マスタＩＤを記憶しているが前記ユーザの第２の認証キーを記憶していない第１段階認証手段により行われる個人認証支援方法であって、
前記第１段階認証手段が、前記ユーザが使用する情報処理装置であるユーザ装置から第１の認証キーの入力を受け、前記入力された第１の認証キーと、前記記憶されている第１の認証キーとを照合することで、第１段階の個人認証を行なうステップと、
前記第１段階認証手段が、前記第１の認証キーの入力を受けるタイミング又はそれとは異なるタイミングで、前記ユーザ装置から第２ワンタイムキーを受けるステップと、
前記第１段階の個人認証が成功した場合、前記第１段階認証手段が、第１ワンタイムキーを発行するステップと、
前記第１段階認証手段が、前記ユーザ装置に対して、前記第１ワンタイムキーを送信するステップと、
前記第１段階認証手段が、前記第２の認証キー及び前記管理マスタＩＤを記憶しているが前記第１の認証キーを記憶していない第２段階認証手段に対して、前記第１段階の個人認証が成功したユーザの管理マスタＩＤと、前記第１及び第２ワンタイムキーを通知するステップと
を有し、
前記第２段階認証手段が、前記第１段階認証手段から通知された前記第１及び第２ワンタイムキーを、通知された前記管理マスタＩＤに該当する前記ユーザのワンタイムキーとして記憶でき、
前記第２段階認証手段が、前記ユーザ装置から、前記送信された第１ワンタイムキーの入力を受け、前記第１ワンタイムキーが、前記ユーザの管理マスタＩＤに対応し前記記憶された前記第１ワンタイムキーに一致するかどうかを判断でき、
その判断の結果が肯定的の場合、前記第２段階認証手段が、前記ユーザ装置に対して、記憶されている前記第２ワンタイムキーを送信でき、
前記ユーザ又は前記ユーザ装置が、前記送信された第２ワンタイムキーが前記入力した第２ワンタイムキーに一致するかどうかを判断でき、
その判断の結果が肯定的の場合、前記ユーザ装置は、前記第２段階認証手段に対して前記ユーザの第２の認証キーを入力し、
前記第２段階認証手段は、前記ユーザ装置から第２の認証キーの入力を受け、前記入力された第２の認証キーと、前記記憶されている第２の認証キーとを照合することで、第２段階の個人認証を行なうことができる、
個人認証支援方法。
【請求項２０】
ユーザの第１の認証キー及び前記ユーザの管理マスタＩＤを記憶しているが前記ユーザの第２の認証キーを記憶していない第１段階認証手段により行われる個人認証支援方法であって、
前記第１段階認証手段が、前記ユーザが使用する情報処理装置であるユーザ装置から第１の認証キーの入力を受け、前記入力された第１の認証キーと、前記記憶されている第１の認証キーとを照合することで、第１段階の個人認証を行なうステップと、
前記第１段階認証手段が、前記第２の認証キー及び前記管理マスタＩＤを記憶しているが前記第１の認証キーを記憶していない第２段階認証手段から、前記ユーザの管理マスタＩＤに対応付ける第２ワンタイムキーを受信するステップと、
前記第１段階の個人認証が成功した場合、前記第１段階認証手段が、第１ワンタイムキーを発行するステップと、
前記第１段階認証手段が、前記ユーザ装置に対して、前記第１及び第２ワンタイムキーを送信するステップと、
前記第１段階認証手段が、前記第２段階認証手段に対して、前記第１段階の個人認証が成功したユーザの管理マスタＩＤと、前記第１ワンタイムキーを通知するステップと
を有し、
前記第２段階認証手段が、前記第１段階認証手段から通知された前記第１ワンタイムキーを、通知された前記管理マスタＩＤに該当する前記ユーザのワンタイムキーとして記憶でき、
前記第２段階認証手段が、前記ユーザ装置から、前記送信された第１ワンタイムキーの入力を受け、前記第１ワンタイムキーが、前記ユーザの管理マスタＩＤに対応し前記記憶された前記第１ワンタイムキーに一致するかどうかを判断でき、
その判断の結果が肯定的の場合、前記第２段階認証手段は、前記ユーザ装置に対して、記憶されている前記第２ワンタイムキーを送信でき、
前記ユーザ又は前記ユーザ装置が、前記送信された第２ワンタイムキーが前記送信された第２ワンタイムキーに一致するかどうかを判断でき、
その判断の結果が肯定的の場合、前記ユーザ装置は、前記第２段階認証手段に対して前記ユーザの第２の認証キーを入力でき、
前記第２段階認証手段は、前記ユーザ装置から第２の認証キーの入力を受け、前記入力された第２の認証キーと、前記記憶されている第２の認証キーとを照合することで、第２段階の個人認証を行なうことができる、
個人認証支援方法。
【請求項２１】
第１段階の個人認証を行う個人認証支援システムであって、
ユーザの第１の認証キー及び前記ユーザの管理マスタＩＤを記憶しているが前記ユーザの第２の認証キーを記憶していない記憶手段と、
前記ユーザが使用する情報処理装置であるユーザ装置から第１の認証キーの入力を受け、前記入力された第１の認証キーと、前記記憶されている第１の認証キーとを照合することで、第１段階の個人認証を行なう手段と、
前記第１段階の個人認証が成功した場合、第１及び第２ワンタイムキーを発行する手段と、
前記ユーザ装置に対して、前記第１及び第２ワンタイムキーを送信する手段と、
前記第２の認証キー及び前記管理マスタＩＤを記憶しているが前記第１の認証キーを記憶していない第２段階認証手段に対して、前記第１段階の個人認証が成功したユーザの管理マスタＩＤと、前記第１及び第２ワンタイムキーを通知する手段と
を有し、
前記第２段階認証手段が、前記第１段階認証手段から通知された前記第１及び第２ワンタイムキーを、通知された前記管理マスタＩＤに該当する前記ユーザのワンタイムキーとして記憶し、
前記第２段階認証手段が、前記ユーザ装置から、前記送信された第１ワンタイムキーの入力を受け、前記第１ワンタイムキーが、前記ユーザの管理マスタＩＤに対応し前記記憶された前記第１ワンタイムキーに一致するかどうかを判断し、
その判断の結果が肯定的の場合、前記第２段階認証手段は、前記ユーザ装置に対して、記憶されている前記第２ワンタイムキーを送信し、
前記ユーザ又は前記ユーザ装置が、前記送信された第２ワンタイムキーが前記発行された第２ワンタイムキーに一致するかどうかを判断し、
その判断の結果が肯定的の場合、前記ユーザ装置は、前記第２段階認証手段に対して前記ユーザの第２の認証キーを入力し、
前記第２段階認証手段は、前記ユーザ装置から第２の認証キーの入力を受け、前記入力された第２の認証キーと、前記記憶されている第２の認証キーとを照合することで、第２段階の個人認証を行なう
個人認証支援システム。
【請求項２２】
第１段階の個人認証を行う認証支援システムであって、
ユーザの第１の認証キー及び前記ユーザの管理マスタＩＤを記憶しているが前記ユーザの第２の認証キーを記憶していない記憶手段と、
前記ユーザが使用する情報処理装置であるユーザ装置から第１の認証キーの入力を受け、前記入力された第１の認証キーと、前記記憶されている第１の認証キーとを照合することで、第１段階の個人認証を行なう手段と、
前記第１の認証キーの入力を受けるタイミング又はそれとは異なるタイミングで、前記ユーザ装置から第２ワンタイムキーを受ける手段と、
前記第１段階の個人認証が成功した場合、第１ワンタイムキーを発行する手段と、
前記ユーザ装置に対して、前記第１ワンタイムキーを送信する手段と、
前記第２の認証キー及び前記管理マスタＩＤを記憶しているが前記第１の認証キーを記憶していない第２段階認証手段に対して、前記第１段階の個人認証が成功したユーザの管理マスタＩＤと、前記第１及び第２ワンタイムキーを通知する手段と
を有し、
前記第２段階認証手段が、前記第１段階認証手段から通知された前記第１及び第２ワンタイムキーを、通知された前記管理マスタＩＤに該当する前記ユーザのワンタイムキーとして記憶し、
前記第２段階認証手段が、前記ユーザ装置から、前記送信された第１ワンタイムキーの入力を受け、前記第１ワンタイムキーが、前記ユーザの管理マスタＩＤに対応し前記記憶された前記第１ワンタイムキーに一致するかどうかを判断し、
その判断の結果が肯定的の場合、前記第２段階認証手段は、前記ユーザ装置に対して、記憶されている前記第２ワンタイムキーを送信し、
前記ユーザ又は前記ユーザ装置が、前記送信された第２ワンタイムキーが前記入力した第２ワンタイムキーに一致するかどうかを判断し、その判断の結果が肯定的の場合、前記ユーザ装置は、前記第２段階認証手段に対して前記ユーザの第２の認証キーを入力し、
前記第２段階認証手段は、前記ユーザ装置から第２の認証キーの入力を受け、前記入力された第２の認証キーと、前記記憶されている第２の認証キーとを照合することで、第２段階の個人認証を行なう、
個人認証支援システム。
【請求項２３】
第１段階の個人認証を行う個人認証支援システムであって、
ユーザの第１の認証キー及び前記ユーザの管理マスタＩＤを記憶しているが前記ユーザの第２の認証キーを記憶していない記憶手段と、
前記第１段階認証手段が、前記ユーザが使用する情報処理装置であるユーザ装置から第１の認証キーの入力を受け、前記入力された第１の認証キーと、前記記憶されている第１の認証キーとを照合することで、第１段階の個人認証を行なう手段と、
前記第２の認証キー及び前記管理マスタＩＤを記憶しているが前記第１の認証キーを記憶していない第２段階認証手段から、前記ユーザの管理マスタＩＤに対応付ける第２ワンタイムキーを受信する手段と、
前記第１段階の個人認証が成功した場合、第１ワンタイムキーを発行する手段と、
前記ユーザ装置に対して、前記第１及び第２ワンタイムキーを送信する手段と、
前記第２段階認証手段に対して、前記第１段階の個人認証が成功したユーザの管理マスタＩＤと、前記第１ワンタイムキーを通知する手段と
を有し、
前記第２段階認証手段が、前記第１段階認証手段から通知された前記第１ワンタイムキーを、通知された前記管理マスタＩＤに該当する前記ユーザのワンタイムキーとして記憶し、
前記第２段階認証手段が、前記ユーザ装置から、前記送信された第１ワンタイムキーの入力を受け、前記第１ワンタイムキーが、前記ユーザの管理マスタＩＤに対応し前記記憶された前記第１ワンタイムキーに一致するかどうかを判断し、
その判断の結果が肯定的の場合、前記第２段階認証手段は、前記ユーザ装置に対して、記憶されている前記第２ワンタイムキーを送信し、
前記ユーザ又は前記ユーザ装置が、前記送信された第２ワンタイムキーが前記送信された第２ワンタイムキーに一致するかどうかを判断し、
その判断の結果が肯定的の場合、前記ユーザ装置は、前記第２段階認証手段に対して前記ユーザの第２の認証キーを入力し、
前記第２段階認証手段は、前記ユーザ装置から第２の認証キーの入力を受け、前記入力された第２の認証キーと、前記記憶されている第２の認証キーとを照合することで、第２段階の個人認証を行なう、
個人認証支援システム。